(57)【特許請求の範囲】
【請求項１】
表示装置に複数の映像が表示される場合に、第１の画面に表示される映像及び第２の画面に表示される映像の画質を、各画面に設定された個別の画質調整値、又は前記第１の画面に設定された一方の画質調整値及び前記第２の画面に対して設定された他方の画質調整値のいずれか一方の画質調整値を使用して、調整する画質調整手段と、
前記一方の画質調整値と前記他方の画質調整値との差分が所定の値以上であるか否かを判別する第１判別手段と、
前記第１判別手段により前記差分が所定の値以上であると判別された場合には、前記各画面に設定された個別の画質調整値を使用して、対応する画面に表示される映像の画質を調整するように前記画質調整手段を制御し、前記差分が所定の値未満であると判別された場合には、前記いずれか一方の画質調整値を使用して、前記第１及び前記第２の画面に表示される映像の画質を調整するように前記画質調整手段を制御する制御手段と
を備えることを特徴とする画質制御装置。
【請求項２】
前記第１判別手段により実行される前記差分が前記所定の値以上であるか否かの判別処理及び前記制御手段により実行される前記画質調整手段の制御処理を自動化するか又は手動化するかを決定する決定手段をさらに備えていることを特徴とする請求項１に記載の画質制御装置。
【請求項３】
前記第１の画面に表示される映像及び前記第２の画面に表示される映像の組み合わせが所定の組み合わせであるか否かを判別する第２判別手段をさらに備え、
前記第２判別手段により前記映像の組み合わせが所定の組み合わせであると判別された場合に、前記制御手段は、前記各画面に設定された個別の画質調整値を使用して、対応する画面に表示される映像の画質を調整するように前記画質調整手段を制御し、
前記第２判別手段により前記映像の組み合わせが所定の組み合わせでないと判別された場合に、前記第１判別手段が前記一方の画質調整値と前記他方の画質調整値との差分が所定の値以上であるか否かを判別することを特徴とする請求項１に記載の画質制御装置。
【請求項４】
前記画質調整手段は、複数の画質調整機能を有し、
前記一方及び前記他方の画質調整値は、当該複数の画質調整機能のうち少なくとも１つの画質調整機能の調整値であることを特徴とする請求項１乃至３のいずれか１項に記載の画質制御装置。
【請求項５】
表示装置に複数の映像が表示される場合に、第１の画面に表示される映像及び第２の画面に表示される映像の画質を、各画面に設定された個別の画質調整値、又は前記第１の画面に設定された一方の画質調整値及び前記第２の画面に対して設定された他方の画質調整値のいずれか一方の画質調整値を使用して、調整する画質調整工程と、
前記一方の画質調整値と前記他方の画質調整値との差分が所定の値以上であるか否かを判別する判別工程と、
前記判別工程により前記差分が所定の値以上であると判別された場合には、前記各画面に設定された個別の画質調整値を使用して、対応する画面に表示される映像の画質を調整するように前記画質調整工程を制御し、前記判別工程により前記差分が所定の値未満であると判別された場合には、前記いずれか一方の画質調整値を使用して、前記第１及び前記第２の画面に表示される映像の画質を調整するように前記画質調整工程を制御する制御工程と
を含むことを特徴とする画質制御方法。
【発明の詳細な説明】
【技術分野】
【０００１】
本発明は、多画面表示時に、各画面に表示される映像の画質を制御する画質制御装置及び画質制御方法に関する。
【背景技術】
【０００２】
従来より、少なくとも２つの映像信号を取込み、当該少なくとも２つの映像信号を同一画面上に、少なくとも２つの区分画面（親画面と子画面）として、同時に表示するテレビジョン受像機が知られている（例えば、特許文献１参照）。このテレビジョン受像機は、少なくとも２つの区分画面において、それぞれ画質を各々独立に最適に調整可能とする手段を備えている。また、特許文献１には、親画面に後から子画面が表示される場合は、親画面の表示状態に子画面の表示状態が一致するように親画面及び子画面に表示される画像を制御すること、及び親画面と子画面の検出値（白ピークレベル、黒ピークレベル、平均輝度レベル）が大きく異なる場合に、親画面及び子画面に表示される画像にそれぞれ最適な制御を行うことが記載されている。
【０００３】
また、従来より、多画面表示の映像において、全体の補正量を各画面の輝度レベルに応じて分配し、各画面毎の補正電圧を発生することで、各画面の補正量を適正にする補正電圧発生装置が知られている（例えば、特許文献２参照）。特許文献２には、親子二画面表示の場合、画面全体にオートブライトネスリミッタ（ＡＢＬ）とオートコントラストリミッタ（ＡＣＬ）をかけると、親画面の明るさ変化の影響が子画面にも及ぶことが記載されている。
【０００４】
さらに、従来より、ユーザの指定した画像に対して個別に画質調整方法を設定し、マルチ画面表示においてもユーザの意図を反映した表示を行う合成画像処理装置が知られている（例えば、特許文献３参照）。
【特許文献１】特開平７−７６８５号公報
【特許文献２】特開平８−２９８６３０号公報
【特許文献３】特開２００５−７７８５９号公報
【発明の開示】
【発明が解決しようとする課題】
【０００５】
しかしながら、特許文献１〜３の技術では、ユーザは、各画面に表示される映像を見ながら、全画面を統一した画質で制御するモードと各画面を個別の画質で制御するモードとを選択的に切り替えるような煩わしい操作を実行する必要がある。
【０００６】
本発明の目的は、煩わしい操作を不要にし、ユーザにとって見やすい複数の映像を同時に提供することができる画質制御装置及び画質制御方法を提供することにある。
【課題を解決するための手段】
【０００７】
上記目的を達成するため、本発明では、画質調整手段は、表示装置に複数の映像が表示される場合に、第１の画面に表示される映像及び第２の画面に表示される映像の画質を、各画面に設定された個別の画質調整値、又は前記第１の画面に設定された一方の画質調整値及び前記第２の画面に対して設定された他方の画質調整値のいずれか一方の画質調整値を使用して調整し、第１判別手段は、前記一方の画質調整値と前記他方の画質調整値との差分が所定の値以上であるか否かを判別する。そして、制御手段は、前記第１判別手段により前記差分が所定の値以上であると判別された場合には、前記各画面に設定された個別の画質調整値を使用して、対応する画面に表示される映像の画質を調整するように前記画質調整手段を制御し、前記差分が所定の値未満であると判別された場合には、前記いずれか一方の画質調整値を使用して、前記第１及び前記第２の画面に表示される映像の画質を調整するように前記画質調整手段を制御する。
【０００８】
かかる構成によれば、複数画面の各々に設定された画質調整値の差分の絶対値が閾値以上であるか否かに基づいて、複数画面の画質の調整方法が自動的に決定されるので、煩わしい操作を不要にし、ユーザにとって見やすい複数の映像を同時に提供することができる。
【発明の効果】
【０００９】
本発明によれば、煩わしい操作を不要にし、ユーザにとって見やすい複数の映像を同時に提供することができる。
【発明を実施するための最良の形態】
【００１０】
以下、図面を参照しながら本発明の実施の形態を説明する。
【００１１】
図１は、本発明の実施の形態に係る画質制御装置の構成図である。
【００１２】
本発明の実施の形態に係る画質制御装置は、車両に搭載される映像／オーディオ／ナビゲーション等のデータシステム、携帯電話、コンピュータ等に適用可能である。
【００１３】
同図の画質制御装置は、切換部１０、画面拡大／縮小部１１，１２、画面合成部１３、画質調整部１４（画質調整手段）、ＴＦＴ（Thin Film Transistor）制御部１５、ＴＦＴ液晶部１６、メモリ１７ａを含むＣＰＵ１７（第１判別手段、制御手段、決定手段、第２判別手段）、及び操作部１８（調整手段）を備えている。
【００１４】
切換部１０は、アナログＴＶ、デジタルＴＶ（フルセグ）、デジタルＴＶ（ワンセグ）、ＤＶＤ、ナビゲーション、及びカメラ等の映像ソース（映像信号）を入力し、ＣＰＵ１７から表示対象となる映像ソースを示す切換信号を受信する。切換部１０は、当該切換信号に基づいて、現在表示中の映像ソースを新たな映像ソースに切り換えて画面拡大／縮小部１１，１２に出力する。尚、全画面表示の場合には、切換部１０は、映像ソースを画面拡大／縮小部１１又は画面拡大／縮小部１２のいずれかに出力し、多画面表示の場合には、切換部１０は、２つの映像ソースを画面拡大／縮小部１１及び画面拡大／縮小部１２にそれぞれ出力する。
【００１５】
画面拡大／縮小部１１，１２は、ＣＰＵ１７から各画面の拡大又は縮小のサイズを示す拡縮設定信号を受信し、当該拡縮設定信号に基づいて、入力した映像ソースを表示する画面を拡大又は縮小する。画面拡大／縮小部１１，１２は、拡大又は縮小された画面データ（図１の画面１、画面２）を画面合成部１３に出力する。
【００１６】
画面合成部１３は、ＣＰＵ１７から２つの画面データの合成方法（上下又は左右）を指示する合成設定信号を受信する。画面合成部１３は、当該合成設定信号に基づいて、入力した２つの画面データを上下又は左右に合成し、１つの画面データを作成して、画質調整部１４に出力する。
【００１７】
画質調整部１４は、ＣＰＵ１７から、画面１用の画質調整値を含む画面１用画質設定信号、画面２用の画質調整値を含む画面２用画質設定信号を受信する。画質調整部１４は、画面１用の画質調整値及び画面２用の画質調整値、または、いずれか一方の画質調整値のみに基づいて、合成された画面データ、即ち、画面１及び画面２の画質調整を行う。画質調整部１４は、画質調整後の画面１及び画面２をＴＦＴ制御部１５に出力する。
【００１８】
ＴＦＴ制御部１５は、画面１及び画面２（合成された画面データ）を所定タイミングでＴＦＴ液晶部１６に出力し、表示させる。
【００１９】
操作部１８は、画面１用の画質調整値又は画面２用の画質調整値を設定するためのファンクションキー、ボタン、及びスイッチ等で構成されている。ユーザは、ＴＦＴ液晶部１６に表示されるメニュー画面に従って、操作部１８を介してメモリ１７ａに、画面１用の画質調整値及び画面２用の画質調整値の設定、後述するＣＰＵ１７で実行される判別処理及び制御処理を自動化するか否かを決定する「画質調整自動有効」のフラグのオン／オフの設定、並びに閾値の設定を行う。ここで設定される閾値は、ＣＰＵ１７が画面１及び画面２を同一の画質調整値で画質調整するか又は画面１及び画面２を個別の画質調整値で画質調整するかを決定する際に使用される値である。メニュー画面は、ＣＰＵ１７がメモリ１７ａに格納されている所定のプログラムを実行することにより、ＴＦＴ液晶部１６に表示される。
【００２０】
尚、ユーザは、インジケータを見ながら、ファンクションキーを介してメモリ１７ａに上記複数の設定と同様の設定を行うことができる。また、ＴＦＴ液晶部１６がタッチパネル式の液晶で構成される場合には、ユーザは、ＴＦＴ液晶部１６に表示されるメニュー画面に従って、タッチパネルを介してメモリ１７ａに、上記複数の設定と同様の設定を行うことができる。
【００２１】
画質調整値は、映像の色の濃さを示すカラー、映像の色合いを示すティント、映像の高域成分のゲインを示すシャープネス、画面の明暗差の強弱を示すコントラスト、及び画面の明るさを示すブライトネスなどの各画質調整機能の具体的な調整値である。
【００２２】
カラーを調整するためのスケールは、例えば、色の濃さを示す０〜９９の１００段階のレベルを有する。ティントを調整するためのスケールは、例えば、赤色側から緑色側へ色合いが遷移するような１００段階のレベルを有する。シャープネスを調整するためのスケールは、例えば、シャープからソフトへ映像の高域成分のゲインが遷移するような１００段階のレベルを有する。コントラストを調整するためのスケールは、例えば、画面の明るい部分と暗い部分との差を調整するための１００段階のレベルを有する。ブライトネスを調整するためのスケールは、例えば、画面の明るさを示す１００段階のレベルを有する。
【００２３】
ユーザは、操作部１８又はタッチパネルを介して、画面毎のカラー、ティント、シャープネス、コントラスト、及びブライトネスなどの画質調整値をメモリ１７ａに設定することができる。
【００２４】
また、上述した閾値は、例えば、各スケールの１０段階分に相当するレベル又は各スケール全体に対する所定の割合（５％など）である。ユーザは、操作部１８又はタッチパネルを介して、閾値を調整して、メモリ１７ａに設定することができる。これにより、ユーザが、複数画面の画質の調整方法を決定する閾値を調整することができる。
【００２５】
図２は、ＣＰＵ１７が実行する処理を示すフローチャートである。
【００２６】
ここでは、ＣＰＵ１７が予め操作部１８又はタッチパネルから多画面表示の指示を受信しているものとする。
【００２７】
まず、ＣＰＵ１７は、メモリ１７ａから画面１用の画質調整値及び画面２用の画質調整値、並びに画面１及び画面２を同一の画質調整値で画質調整するか又は画面１及び画面２を個別の画質調整値で画質調整するかを決定する際に使用される閾値を読み出す（ステップＳ１）。
【００２８】
次いで、ＣＰＵ１７は、画面１用の画質調整値及び画面２用の画質調整値の差分の絶対値が上記閾値以上であるか否かを判別する（ステップＳ２）。例えば、閾値がカラーのスケールの全体に対する１０％と設定されている場合には、画面１用のカラーのレベル及び画面２用のカラーのレベルの差分の絶対値がカラーのスケール全体に対する１０％以上のレベルであるか否かを判別する。
【００２９】
ステップＳ２で、画面１用の画質調整値及び画面２用の画質調整値の差分の絶対値が上記閾値以上であると判別された場合（ＹＥＳ）には、ＣＰＵ１７は、画面１用の画質調整値を含む画面１用画質設定信号及び画面２用の画質調整値を含む画面２用画質設定信号を画質調整部１４に送信し（ステップＳ３）、本処理を終了する。画質調整部１４は、画面１用画質設定信号及び画面２用画質設定信号を受信し、これらの信号に含まれている画面１用の画質調整値及び画面２用の画質調整値を使って、画面１及び画面２の画質調整をそれぞれ行う。
【００３０】
このように、ＣＰＵ１７は、画面１用の画質調整値及び画面２用の画質調整値の差分の絶対値が上記閾値以上であると判別された場合（ＹＥＳ）には、画面１用の画質調整値を含む画面１用画質設定信号及び画面２用の画質調整値を含む画面２用画質設定信号を画質調整部１４に送信することで、各画面に設定された個別の画質調整値で、対応する画面に表示される映像の画質を調整するように画質調整部１４を制御する。
【００３１】
一方、ステップＳ２で、ＣＰＵ１７は、画面１用の画質調整値及び画面２用の画質調整値の差分の絶対値が上記閾値未満であると判別された場合（ＮＯ）には、画面１用の画質調整値及び画面２用の画質調整値のうち、いずれか一方の画質調整値を画面１用画質設定信号及び画面２用画質設定信号に含めて、画質調整部１４に送信し（ステップＳ４）、本処理を終了する。画質調整部１４は、画面１用画質設定信号及び画面２用画質設定信号を受信し、これらの信号に含まれる画面１用の画質調整値及び画面２用の画質調整値のいずれか一方の画質調整値を使って、画面１及び画面２の画質調整を行う。
【００３２】
このように、ＣＰＵ１７は、画面１用の画質調整値及び画面２用の画質調整値の差分の絶対値が上記閾値未満であると判別された場合（ＮＯ）には、画面１用の画質調整値及び画面２用の画質調整値のうち、いずれか一方の画質調整値を画面１用画質設定信号及び画面２用画質設定信号に含めて、画質調整部１４に送信することで、画面１用の画質調整値及び画面２用の画質調整値のうち、いずれか一方の画質調整値で、画面１及び画面２に表示される映像の画質を調整するように画質調整部１４を制御する。
【００３３】
尚、ステップＳ４で画質調整部１４に送信されるいずれか一方の画質調整値は、画面１用の画質調整値及び画面２用の画質調整値のうち、例えば、ユーザによって最後に設定された画質調整値である。
【００３４】
また、本処理は、カラー、ティント、シャープネス、コントラスト、及びブライトネスなどの全ての画質調整値に対して実行される。例えば、カラー、ティント、及びシャープネスの画質調整値に関しては、ステップＳ３の行程が実行され、コントラスト、及びブライトネスの画質調整値に関しては、ステップＳ４の行程が実行される場合がある。
【００３５】
図３は、図２のＣＰＵ１７が実行する処理の第１変形例を示すフローチャートである。
【００３６】
ここでは、ＣＰＵ１７が予め操作部１８又はタッチパネルから多画面表示の指示を受信しているものとする。
【００３７】
まず、ＣＰＵ１７は、メモリ１７ａから図２の処理、即ち、ＣＰＵ１７により実行される判別処理及び制御処理を自動化するか否かを決定する「画質調整自動有効」のフラグのオン／オフの設定を読み出し（ステップＳ５）、当該「画質調整自動有効」のフラグがオンに設定されているか否かを判別する（ステップＳ６）。
【００３８】
ステップＳ６で、「画質調整自動有効」のフラグがオンに設定されていると判別された場合（ＹＥＳ）には、ステップＳ１の行程に進み、上述した図２の処理を開始する。
【００３９】
一方、ステップＳ６で、「画質調整自動有効」のフラグがオフに設定されていると判別された場合（ＮＯ）には、マニュアルモードで各画面の画質調整を実行するため、個別の画質調整値で各画面の画質を設定するステップＳ３の行程に進む。
【００４０】
尚、ステップＳ６で、「画質調整自動有効」のフラグがオフに設定されていると判別された場合（ＮＯ）には、１つの画質調整値で両画面の画質を設定するステップＳ４の行程に進んでもよい。
【００４１】
このように、ＣＰＵ１７は、操作部１８又はタッチパネルを介して設定された「画質調整自動有効」のフラグのオン／オフに基づいて、判別処理及び制御処理を自動化するか否かを決定するので、判別処理及び制御処理が自動化される場合は、複数画面の画質の調整方法を自動的に決定することができ、判別処理及び制御処理が自動化されない場合は、複数画面の画質の調整方法をマニュアル（手動）で決定することができる。
【００４２】
図４は、図２のＣＰＵ１７が実行する処理の第２変形例を示すフローチャートである。図５は、複数の映像ソースの所定の組み合わせに関する情報の一例を示す図である。
【００４３】
図５に示すように、複数の映像ソースの所定の組み合わせに関する情報には、所定の組み合わせとして、例えば、ナビゲーションの映像ソースと高解像度の映像ソース（例えばアナログＴＶ、フルセグ、ＤＶＤ、又はカメラ）との組み合わせ、低解像度の映像ソース（例えば、ワンセグ）と高解像度の映像ソース（例えばアナログＴＶ、フルセグ、ＤＶＤ、又はカメラ）との組み合わせが含まれている。
【００４４】
複数の映像ソースの所定の組み合わせに関する情報は、予めメモリ１７ａに格納されている。ＣＰＵ１７は、ユーザによって操作部１８又はタッチパネルを介して入力された当該情報の編集指示に従って、当該情報を編集することができる。
【００４５】
図４では、ＣＰＵ１７は予め操作部１８又はタッチパネルから多画面表示の指示を受信しているものとする。
【００４６】
まず、ＣＰＵ１７は、メモリ１７ａから複数の映像ソースの所定の組み合わせに関する情報を読み出し（ステップＳ１１）、表示対象の映像ソースの組み合わせが当該情報に含まれる所定の組み合わせであるか否かを判別する（ステップＳ１２）。
【００４７】
ステップＳ１２で、映像ソースの組み合わせが当該情報に含まれる所定の組み合わせであると判別された場合（ＹＥＳ）には、画面毎に画質調整を実行するため、ステップＳ３の処理に進む。即ち、ＣＰＵ１７は、画面１用の画質調整値を含む画面１用画質設定信号及び画面２用の画質調整値を含む画面２用画質設定信号を画質調整部１４に送信することで、各画面に設定された個別の画質調整値で、対応する画面に表示される映像の画質を調整するように画質調整部１４を制御する。
【００４８】
例えば、複数の映像ソースの所定の組み合わせに関する情報に含まれる、ナビゲーションの映像ソースと高解像度の映像ソース（例えばアナログＴＶ、フルセグ、ＤＶＤ、又はカメラ）との組み合わせでは、ナビゲーションの映像ソースは、エッジの急峻なグラフィックで構成されており、アナログＴＶ、フルセグ、ＤＶＤ、又はカメラ等の高解像度の映像ソースは、エッジの比較的緩やかな自然画で構成されている。このため、グラフィック及び自然画に対する最適なシャープネスの画質調整値は、互いに異なる。従って、ナビゲーションの映像ソースと高解像度の映像ソース（例えばアナログＴＶ、フルセグ、ＤＶＤ、又はカメラ）とが組み合わされて表示される場合には（ステップＳ１１のＹＥＳ）、画面毎に画質調整を実行する方が好適なため、ステップＳ３の処理が実行される。
【００４９】
また、複数の映像ソースの所定の組み合わせに関する情報に含まれる、低解像度の映像ソース（例えば、ワンセグ）は、複数のブロック（８×８画素）を含む自然画で構成されており、これらのブロック間で歪みが発生する、即ち、急峻なエッジが発生する。このため、ワンセグの映像ソースに対するシャープネスの画質調整値をより上げると、リンギングなどが発生し、画面を見るユーザに違和感を与えることになる。従って、低解像度の映像ソース（例えば、ワンセグ）と高解像度の映像ソース（例えばアナログＴＶ、フルセグ、ＤＶＤ、又はカメラ）とが組み合わされて表示される場合には（ステップＳ１１のＹＥＳ）、画面毎に画質調整を実行する方が好適なため、ステップＳ３の処理が実行される。
【００５０】
一方、ステップＳ１２で、映像ソースの組み合わせが当該情報に含まれる所定の組み合わせでないと判別された場合（ＮＯ）には、ステップＳ１の行程に進み、上述した図２の処理を開始する。
【００５１】
図４の処理によれば、ＣＰＵ１７が表示対象の映像ソースの組み合わせが所定の組み合わせであるか否かを判別し（ステップＳ１２）、映像ソースの組み合わせが所定の組み合わせであると判別された場合には、ＣＰＵ１７は、各画面に設定された個別の画質調整値で、対応する画面に表示される映像の画質を調整するように画質調整部１４を制御する（ステップＳ３）ので、映像の組み合わせに応じて、各映像の画質が個別の画質調整値で調整されるので、ユーザにとって見やすい複数の映像を同時に提供することができる。
【００５２】
尚、ユーザは、操作部１８又はタッチパネルを介してメモリ１７ａに、ステップＳ１２の判別行程をＣＰＵ１７に実行させるための「組み合わせ判定」のフラグのオン／オフの設定を行うようにしてもよい。この場合、「組み合わせ判定」のフラグがオンの場合に、ステップＳ１２の判別行程が実行され、「組み合わせ判定」のフラグがオフの場合には、ステップＳ１２の判別行程を実行せずに、図２の処理（即ち、ステップＳ１〜Ｓ４の処理）が実行される。
【００５３】
図６は、図１の画質制御装置の変形例の構成図である。図１と同一の機能や構成については、説明を省略する。
【００５４】
画面拡大／縮小部１１は、拡大又は縮小された画面データ（画面１）を画質調整部１４ａに出力し、画面拡大／縮小部１２は、拡大又は縮小された画面データ（画面２）を画質調整部１４ｂに出力する。
【００５５】
画質調整部１４ａは、ＣＰＵ１７から、画面１用画質設定信号を受信し、画質調整部１４ｂは、ＣＰＵ１７から、画面２用画質設定信号を受信する。画面１用画質設定信号に画面１用の画質調整値が含まれ、画面２用画質設定信号に画面１用の画質調整値が含まれる場合もあるが、画面１用画質設定信号及び画面２用画質設定信号に同一の画質調整値（即ち、画面１用の画質調整値及び画面２用の画質調整値のいずれか一方）が含まれる場合もある。
【００５６】
画面１用画質設定信号及び画面２用画質設定信号に同一の画質調整値が含まれる場合は、画質調整部１４ａ及び画質調整部１４ｂは、その同一の画質調整値に基づいて、それぞれ画面１の画質調整及び画面２の画質調整を行う。画質調整部１４ａは、画質調整後の画面１を画面合成部１３に出力し、画質調整部１４ｂは、画質調整後の画面２を画面合成部１３に出力する。
【００５７】
画面合成部１３は、ＣＰＵ１７から２つの画面データの合成方法（上下又は左右）を指示する合成設定信号を受信する。画面合成部１３は、当該合成設定信号に基づいて、入力した２つの画面データを上下又は左右に合成し、１つの画面データを作成して、ＴＦＴ制御部１５に出力する。
【００５８】
ＴＦＴ制御部１５は、画面１及び画面２（合成された画面データ）を所定タイミングでＴＦＴ液晶部１６に出力し、表示させる。
【００５９】
図６の画質制御装置のＣＰＵ１７は、上述した図２〜図４の処理を実行する。但し、ステップＳ３では、ＣＰＵ１７は、画面１用の画質調整値を含む画面１用画質設定信号を画質調整部１４ａに送信し、画面２用の画質調整値を含む画面２用画質設定信号を画質調整部１４ｂに送信する。ステップＳ４では、ＣＰＵ１７は、画面１用の画質調整値及び画面２用の画質調整値のうち、いずれか一方の画質調整値を画面１用画質設定信号及び画面２用画質設定信号に含めて、画面１用画質設定信号を画質調整部１４ａに送信し、画面２用画質設定信号を画質調整部１４ｂに送信する。
【００６０】
以上詳細に説明したように、本実施の形態によれば、ＣＰＵ１７は、画面１用の画質調整値及び画面２用の画質調整値の差分の絶対値が閾値以上であると判別された場合には、各画面に設定された個別の画質調整値を使用して、対応する画面に表示される映像の画質を、一括で調整するように画質調整部１４を制御し又は個別で調整するように画質調整部１４ａ及び画質調整部１４ｂを制御し、画面１用の画質調整値及び画面２用の画質調整値の差分の絶対値が閾値未満であると判別された場合には、いずれか一方の画質調整値で、画面１及び画面２の画面に表示される映像の画質を、一括で調整するように画質調整部１４を制御する又は個別で調整するように画質調整部１４ａ及び画質調整部１４ｂを制御する。
【００６１】
よって、複数画面の各々に設定された画質調整値の差分の絶対値が閾値以上であるか否かに基づいて、複数画面の画質の調整方法が自動的に決定されるので、煩わしい操作を不要にし、ユーザにとって見やすい複数の映像を同時に提供することができる。
【００６２】
また、画面１用の画質調整値及び画面２用の画質調整値は、カラー、ティント、シャープネス、コントラスト及びブライトネス等の複数の画質調整機能のうち少なくとも１つの画質調整機能の調整値であるので、各画面に設定された少なくとも１つの画質調整機能の調整値に基づいて、複数画面の画質の調整方法を自動的に決定することができる。
【００６３】
上記実施の形態において、操作部１８は、ＣＰＵ１７に図２の処理、図３の処理、又は図４の処理をそれぞれ開始させるための複数のプリセットスイッチ（操作子）を備えていてもよい。これにより、ユーザが複数のプリセットスイッチのいずれか１つを押下すると、押下されたプリセットスイッチに割り当てられた処理が即座に実行される。
【００６４】
また、上記実施の形態では、多画面表示時にＴＦＴ液晶部１６に表示される画面数は２つであるが、これに限定されるものではなく、３つ以上の画面がＴＦＴ液晶部１６に表示されてもよい。この場合、画面拡大／縮小部の個数は、ＴＦＴ液晶部１６に表示される画面数と同一数となる。また、この場合、ステップＳ２では、操作部１８を介して選択された１つの画面に設定された画質調整数と他の画面に設定された画質調整数との差分の絶対値が上記閾値以上であるか否かを判別する。他のステップの行程は上述した通りに実行される。
【００６５】
また、ＣＰＵ１７が、本実施の形態に係る画質制御装置の機能を実現するためのソフトウェアのプログラムを実行することによっても、上記実施の形態と同様の効果を奏する。
【００６６】
なお、本発明は、上述した実施の形態に限定されるものではなく、その要旨を逸脱しない範囲内で種々変形して実施することが可能である。
【図面の簡単な説明】
【００６７】
【図１】本発明の実施の形態に係る画質制御装置の構成図である。
【図２】ＣＰＵが実行する処理を示すフローチャートである。
【図３】図２のＣＰＵが実行する処理の第１変形例を示すフローチャートである。
【図４】図２のＣＰＵが実行する処理の第２変形例を示すフローチャートである。
【図５】複数の映像ソースの所定の組み合わせに関する情報の一例を示す図である。
【図６】図１の画質制御装置の変形例の構成図である。
【符号の説明】
【００６８】
１０  切換部
１１，１２  画面拡大／縮小部
１３  画面合成部
１４，１４ａ，１４ｂ  画質調整部
１５  ＴＦＴ（Thin Film Transistor）制御部
１６  ＴＦＴ液晶部
１７  ＣＰＵ
１７ａ  メモリ
１８  操作部
【図１】
0005189810.tif 000002
【図２】
0005189810.tif 000003
【図３】
0005189810.tif 000004
【図４】
0005189810.tif 000005
【図５】
0005189810.tif 000006
【図６】
0005189810.tif 000007